(57)【要約】【課題】  ミスト利用時に、よりリラクゼーション効果を得ることが可能なミストシステムを提供すること。【解決手段】  ミストシステム１は、天井より浴室２に対して温水をミスト状に噴出するミスト噴出手段１０と、浴室２の温度を上昇させる暖房手段１１とを有している。ミスト噴出手段１０には、ミスト噴出手段１０によりミスト噴出が開始されてからの時間経過に応じて照明色又は照明光量を変化させる照明手段４６が設けられている。【選択図】  図１
2008161323.tif 000002
【特許請求の範囲】
【請求項１】
浴室に対して温水をミスト状に噴出するミスト噴出手段と、
温風により前記浴室の温度を上昇させる暖房手段とを有し、
前記ミスト噴出手段又は前記暖房手段の少なくともいずれかに照明手段を備えたこと
を特徴とするミストシステム。
【請求項２】
浴室に対して温水をミスト状に噴出するミスト噴出手段と、
温風により前記浴室の温度を上昇させる暖房手段と
を有するミストシステムにおいて、
前記ミスト噴出手段によってミスト噴出が開始されてからの時間経過に応じて、照明色又は照明光量の少なくともいずれかを変化させる照明手段を設けたこと
を特徴とするミストシステム。
【請求項３】
浴室に対して温水をミスト状に噴出するミスト噴出手段と、
温風により前記浴室の温度を上昇させる暖房手段と
を有するミストシステムにおいて、
前記浴室の温度に応じて照明色又は照明光量の少なくともいずれかを変化させる照明手段を設けたこと
を特徴とするミストシステム。
【発明の詳細な説明】
【技術分野】
【０００１】
本発明は、天井より浴室に対して温水をミスト状に噴出するミスト噴出手段と、前記浴室の温度を所定温度に上昇させる暖房手段とを有するミストシステムに関するものである。
【背景技術】
【０００２】
従来より、発汗作用、美肌効果、リラクゼーション効果を得ることを目的としたミスト装置が提案されている（例えば、特許文献１参照。）。このミスト装置では、単数もしくは複数のミストノズルを浴室の壁面等に備え、給湯器から供給された温水をミストにして浴室内に噴出する構造を備えている。
【０００３】
このような一般的な家庭用ミスト装置では、浴室空調装置の暖房機能を利用することによって浴室内の暖房を行っている。一般的なミスト装置では、浴室空間を約４０度程度の高温にし、約９０％以上の高湿度状態に保つことによって上述した効果を得ることが可能となっており、発汗作用を得るために少なくとも１０分程度は入浴を続けることが好ましいと言われている（但し、個人差、設定温度・設定湿度によってその時間は異なる）。
【０００４】
また、浴室を早期に高温・高湿度に保つため、通常は、浴室空調装置により浴室内の温度を所定温度（例えば、３０度程度）まで上げた後に、ミストの噴出を開始する。
【特許文献１】特公平６−５９３０１号公報
【発明の開示】
【発明が解決しようとする課題】
【０００５】
しかしながら、ミスト装置を利用する場合、少なくとも所定時間は入浴を続けることが望ましいため、利用者が入浴中に退屈になってしまうというおそれがあった。このため、ラジオ・テレビを視聴することも可能であるが、よりリラクゼーション効果を高める方法が望まれている。
【０００６】
また、所定時間は入浴を続けることが望ましいが、入浴者が浴室において入浴時間を判断することは容易ではなかった。
【０００７】
本発明は上記問題に鑑みてなされたものであり、ミスト利用時により十分なリラクゼーション効果を得ることが可能なミストシステムを提供することを課題とする。
【課題を解決するための手段】
【０００８】
上記課題を解決するために、本発明に係るミストシステムは、浴室に対して温水をミスト状に噴出するミスト噴出手段と、温風により前記浴室の温度を上昇させる暖房手段とを有し、前記ミスト噴出手段又は前記暖房手段の少なくともいずれかに照明手段を備えたことを特徴とする。
【０００９】
また、本発明に係る他のミストシステムは、浴室に対して温水をミスト状に噴出するミスト噴出手段と、温風により前記浴室の温度を上昇させる暖房手段とを有するミストシステムにおいて、前記ミスト噴出手段によってミスト噴出が開始されてからの時間経過に応じて、照明色又は照明光量の少なくともいずれかを変化させる照明手段を設けたことを特徴とする。
【００１０】
さらに、本発明に係る他のミストシステムは、浴室に対して温水をミスト状に噴出するミスト噴出手段と、温風により前記浴室の温度を上昇させる暖房手段とを有するミストシステムにおいて、前記浴室の温度に応じて照明色又は照明光量の少なくともいずれかを変化させる照明手段を設けたことを特徴とする。
【００１１】
なお、上述したミストシステムは、ミスト噴出手段と暖房手段と照明手段とが、それぞれ別体構成で浴室に設置されているものであってもよい。また、ミスト噴出手段と暖房手段とが一体であって照明手段が別体に構成されるものや、ミスト噴出手段と照明手段とが一体であって暖房手段が別体に構成されるものや、暖房手段と照明手段とが一体であってミスト噴出手段が別体に構成されるものであってもよく、さらに、ミスト噴出手段と暖房手段と照明手段とが一体に構成されるものであってもよい。
【００１２】
また、ミスト噴出手段と暖房手段と照明手段とは、浴室の天井側に設置されて、浴槽側に暖房手段を設置すると共に、洗い場と浴槽との中間位置（境界位置近傍）の天井面にミスト噴出手段および照明手段を配置することが好ましい。
【００１３】
さらに、上記浴室には、浴槽を有していないシャワー室やミスト室等も含まれる。
【発明の効果】
【００１４】
本発明に係るミストシステムによれば、ミスト噴出手段又は暖房手段の少なくともいずれかに照明手段を設けたので、ミスト入浴中に照明手段による視覚的な効果によってリラクゼーション効果を得ることが可能となる。
【００１５】
特に、ミスト噴出手段によりミスト噴出が開始されてからの時間経過に応じて照明色又は照明光量の少なくともいずれかを変化させる照明手段を浴室に設けた場合には、入浴中に入浴者が退屈になってしまうことを低減させることが可能となる。また、照明手段の発光色又は照明光量が時間経過と共に変化するので、入浴者はミスト噴出後の時間を視覚によって判断することができる。
【００１６】
例えば、ミスト利用時には、リラックス効果を高めるために時計を気にすることなく入浴を行うことが好ましいが、発汗作用を得るためには、ある程度の時間は継続的に入浴を行う必要があるため、入浴者は入浴時間を知りたいと思う傾向がある。また、サウナ効果によって息苦しくなったりするため、暑さ等に弱い入浴者は発汗効果を得る前に入浴を終了してしまうおそれがある。
【００１７】
本発明に係るミストシステムのように照明手段の照明色又は照明光量によって入浴時間を判断できる場合には、時計等を浴室に持ち込むことなく時間の経過を把握することが可能であるため、時計等に気をとられることがなく、十分なリラクゼーション効果を得ることが可能となる。また、暑さに弱い入浴者にとっても、照明色の変化によって時間経過を判断することができるので、一定の発汗効果を得られる入浴時間の経過を簡単に知ることができる。
【００１８】
また、本発明に係るミストシステムによれば、浴室の温度に応じて照明色又は照明光量を変化させる照明手段を前記浴室に設けたので、ミスサウナに入浴する前であっても浴室内の温度を視覚によって判断することができる。このため、入浴者は照明色又は照明光量に基づいて入浴準備開始に最適なタイミングを簡単に知ることができ、早く脱衣を行ってしまって十分に暖房が行われていない状態で浴室に入ってしまうことを防止することが可能となる。
【００１９】
さらに、ミスト噴出手段と暖房手段と照明手段とが浴室の天井に設置されて、浴槽側に暖房手段を設置すると共に、洗い場と浴槽との中間位置（境界位置近傍）の天井面にミスト噴出手段および照明手段を配置する場合には、利用者が浴室にいる場合であっても洗い場にいる場合であっても照明手段による照明効果を得ることができる。
【発明を実施するための最良の形態】
【００２０】
以下、本発明に係るミストシステムについて説明を行う。
【００２１】
図１は、ミストシステム１が設置された浴室２と洗面所３を示した概略構成図である。
【００２２】
ミストシステム１は、ミストの噴出を行うミスト発生装置（ミスト噴出手段）１０と、浴室内の暖房を行うことが可能な浴室空調装置（暖房手段）１１、ヒートポンプ式の給湯装置１２とを備えている。
【００２３】
ミスト発生装置１０は、浴室２の天井であって、浴槽２ａと洗い場２ｂとの中間位置に設置されている。ミスト発生装置１０は、電磁弁ユニット１３と、電源部ユニット１４と、ノズルユニット１５、ミストリモコン１６とを有している。
【００２４】
電磁弁ユニット１３は、本体ケース１７と、電磁弁配管１８と、電磁弁１９と、水温センサ２０とを有している。
【００２５】
本体ケース１７は、電磁弁配管１８と、電磁弁１９、水温センサ２０を収納する箱体であり、図１に示すように浴室２又は洗面所３の天井裏部分に設置されている。
【００２６】
電磁弁配管１８は、一端が給湯装置１２より延設される給水配管２１に接続され、他端がノズルユニット１５のノズル配管２２に接続された状態で、本体ケース１７内に設置されている。電磁弁１９は、電磁弁配管１８に設けられており、この電磁弁１９の開閉に応じて、給湯装置１２よりノズルユニット１５へと供給される温水の供給／停止が行われる。また、水温センサ２０は、電磁弁配管１８を通過する温水の温度を検出するために電磁弁１９内に設けられている。
【００２７】
ミストリモコン１６は、浴室の壁面に設けられており、通信ケーブルを介して電源部ユニット１４に接続されている。入浴者はミストリモコン１６を操作することによってミスト発生装置１０によるミストの噴射／停止操作や後述する照明装置の照明色・照明光量の変更を行うことが可能となっている。なお、ミストリモコン１６は、必ずしも通信ケーブルで接続されるものに限定されず、赤外線や電波等の無線リモコンによってミスト発生装置１０の操作を行うものであってもよい。さらに、ミスト発生装置１０を操作するリモコンとは別体に無線方式の照明リモコンを設け、照明リモコンによって照明装置４６の操作を行う構成としてもよい。
【００２８】
電源部ユニット１４は、図２に示すように、電源部２５と、電磁弁駆動部２６と、ミスト制御部２７とを備えている。
【００２９】
電源部２５は、家庭用の交流電源ＡＣ１００Ｖより、電磁弁１９を駆動するために用いる２４Ｖの直流電圧や、ノズルユニット１５のモータを駆動するための直流電圧等を生成する役割を有している。
【００３０】
電磁弁駆動部２６は、ミスト制御部２７の制御信号に応じて、電磁弁ユニット１３の電磁弁１９の開閉制御を行う役割を有しており、電磁弁駆動部２６には、電源部２５により生成された直流電圧が駆動源として供給されている。
【００３１】
ミスト制御部２７は、ノズルユニット１５に設けられる駆動モータ２８（図５参照）の駆動制御、ノズルユニット１５に設けられるＬＥＤ光源２９（図３参照）の点消灯制御、電磁弁駆動部２６の駆動制御を行う役割を有しており、これらの制御のためのＣＰＵ（Central Processing Unit）、制御処理のためのワークエリアとして利用されるＲＡＭ（Random Access Memory）、制御処理を行うためのプログラムが記録されるＲＯＭ（Read Only Memory）等を有している。
【００３２】
なお、ミスト制御部２７は、ミストリモコン１６より受信する操作信号と、電磁弁ユニット１３の水温センサ２０より取得する水温情報信号と、浴室空調装置１１より受信する情報信号とに基づいて、電磁弁駆動部２６による電磁弁１９の開閉制御、ノズルユニット１５の駆動モータ２８の駆動制御、ＬＥＤ光源２９の点消灯制御を行う。また、ミスト制御部２７は、ミストリモコン１６の操作に応じて浴室２の照明７８の点消灯を行うことが可能となっている。さらに、ミスト制御部２７は、経時機能を備えており、ミストリモコン１６の操作により開始されるミスト噴出の経過時間を判断することが可能となっている。
【００３３】
ノズルユニット１５は、図３に示すように、本体ユニット３０と、フロントパネル３１と、給水管部３６と、ノズル３２ａ，３２ｂ，３２ｃと、配管用の接続部３３とを有している。
【００３４】
本体ユニット３０は、つば３０ａ付の長型箱状を呈しており、つば３０ａが形成される底面が開放されている。本体ユニット３０は、例えば腐食等を回避するためにＡＢＳ樹脂等によって形成されている。
【００３５】
浴室２の天井面には、本体ユニット３０の箱部位３０ｂの外周形状よりも一回り大きく、かつ、つば３０ａよりも小さな開口部が開口されており、本体ユニット３０は本体ユニット３０が浴室天井の開口部に嵌め込まれ、その周囲を天井部材又は専用の裏打ち部材にビス止めすることによって天井面に固定されている。
【００３６】
また、本体ユニット３０の長手方向の両側面には、図４（ｂ）に示すように、軸受け部３４ａ，３４ｂが形成されている。
【００３７】
給水管部３６は、銅パイプ又は黄銅パイプにより構成されており、本体ユニット３０の軸受け部３４ａ、３４ｂに回動自在に軸支されている。なお、給水管部３６は長手方向に沿って回動軸を成すために、本体ユニット３０の両側の軸受け部３４ａ,３４ｂに至る長さを有している。
【００３８】
ノズル３２ａ，３２ｂ，３２ｃは、接続部材３７ａ〜３７ｃを介して給水管部３６に直列に設けられており、それぞれのノズル３２ａ〜３２ｃは、中央に１カ所、両側に１カ所ずつ配置されている。各ノズル３２ａ〜３２ｃにはノズル孔が形成されており、このノズル孔は、各接続部材３７ａ〜３７ｃを介して給水管部３６に連通されている。なお、接続部材３７ａ〜３７ｃには、一般的に銅角材（直方体）又は黄銅角材（直方体）が使用されるが、金属に限られるものではなく、硬質樹脂等を使用することも可能である。
【００３９】
また、図４（ｂ）に示すように、ノズル３２ａは、右手側にθ１だけ傾斜角を設定して取り付けられ、ノズル３２ｂは、給水管部３６に対して直交する方向に取り付けられ、ノズル３２ａは、反対に左手側にθ２だけ傾斜角を設定して取り付けられている。このように傾斜角θ１、θ２を設定することによって、ノズルユニット１５全体として、温水の噴霧（発散）範囲を拡張することが可能となる。
【００４０】
軸受け部３４ａには、図４（ｃ）に示すように、ノズル配管２２（図１参照）を接続するための接続部３３が設けられている。ノズル配管２２を通して供給される温水は、接続部３３に設けられる接続通路を介して給水管部３６内の配管を通り、ノズル３２ａ，３２ｂ，３２ｃに供給されて、ミストとして噴出される。
【００４１】
フロントパネル３１は、プラスティック等の樹脂により形成されており、本体ユニット３０の開放面を覆うようにして本体ユニット３０に取り付けられている。フロントパネル３１の短尺方向の長さは、本体ユニット３０のつば３０ａの短尺方向の長さよりも若干長く形成されている。
【００４２】
また、フロントパネル３１の四隅には、長細い楕円状のスライドガイド孔３８ａ〜３８ｄが設けられている。フロントパネル３１は、スライドガイド孔３８ａ〜３８ｄにネジ３９ａ〜３９ｄが挿通された状態で本体ユニット３０にビス止めされる。
【００４３】
このため、フロントパネル３１をスライドガイド孔３８ａ〜３８ｄの長尺方向へとスライドさせると、ネジ３９ａ〜３９ｄがスライドガイド孔３８ａ〜３８ｄにガイドされた状態で、フロントパネル３１が本体ユニット３０の短尺方向へと摺動する。
【００４４】
また、フロントパネル３１には、３つの開口部４０ａ〜４０ｃが設けられている。開口部４０ａ〜４０ｃは、外部に向かって広がる鉢状（ホーン状又はコーン状）を呈しており、その内壁にスロープ（Ｒ形状）が設けられている。
【００４５】
フロントパネル３１が本体ユニット３０に設置された場合、ノズル３２ａはその先端が開口部４０ａより露出し、ノズル３２ｂはその先端が開口部４０ｂより露出し、ノズル３２ｃはその先端が開口部４０ｃより露出するようにして配設される。このため、フロントパネル３１のスライド時には、ノズル３２ａ〜３２ｃの先端がフロントパネル３１のスライド方向に傾動することとなる。
【００４６】
図５（ａ）、（ｂ）は、ノズルユニット１５の駆動機構例を示す構成図である。図５（ａ）に示す給水管部３６は、回動軸を基準にして左右にスイング可能な構造となされている。例えば、給水管部３６には、歯車ユニット４１が取り付けられ、この歯車ユニット４１を回動駆動するための駆動モータ２８が設けられている。このように駆動モータ２８によって歯車ユニット４１を介して給水管部３６を回動させることによって、ノズル３２ａ〜３２ｃの方向を調整することが可能である。
【００４７】
これに対して、図５（ｂ）に示すノズルユニット１５では、本体ユニット３０の内側又は外側に駆動モータ２８を設置し、この駆動モータ２８の出力軸先端に対して歯車４２が形成されている。また、フロントパネル３１の裏面にはラックレール４３が設けられており、ラックレール４３には、歯車４２が噛み合わされている。このようにして構成される駆動機構において駆動モータ２８を駆動させることによって、駆動モータ２８の駆動量に応じてフロントパネル３１をスライドさせることができるので、ノズル３２ａ〜３２ｃの方向を調整することが可能となる。
【００４８】
なお、図５（ａ）、（ｂ）に設けられる駆動モータ２８は、図示を省略する配線コードを介して電源部２５に接続されており、ミスト制御部２７の制御によって駆動モータ２８の駆動量を制御することが可能となっている（図２参照）。
【００４９】
また、図５（ａ）、（ｂ）に示すような駆動機構を設けることなく、手動式で任意に噴出方向を切り換える構造とすることも可能である。例えば、図３に示したネジ３９ａ〜３９ｄを緩めて、フロントパネル３１を所望の方向に動かすと、フロントパネル３１がスライドガイド孔３８ａ〜３８ｄに沿って摺動される。このように、フロントパネル３１が摺動されると、フロントパネル３１に設けられた開口部４０ａ〜４０ｃにノズル３２ａ〜３２ｃの先端が引っかかるため、ノズル先端の向きが変更される。そしてこれらのノズル３２ａ〜３２ｃの先端位置の調整を行った後に、フロントパネル３１を本体ユニット３０にネジ３９ａ〜３９ｄで固定することにより、ノズル３２ａ〜３２ｃの方向を調整することが可能となる。
【００５０】
また、フロントパネル３１には、図３、図４（ａ）に示すように、パネルの長尺方向に配設された複数の照明装置（照明手段）４６が設けられている。照明装置４６は、赤、緑、青の３色のＬＥＤ光源２９により構成されており、それぞれのＬＥＤ光源２９を適時点消灯させることによって様々な色合いを表現することが可能となっている。
【００５１】
なお、図３、図４（ａ）に示すようにＬＥＤ光源２９は、図示を省略する配線コードを介して電源部２５に接続されており、ミスト制御部２７の制御によってＬＥＤ光源２９の点消灯制御を行うことが可能となっている（図２参照）。
【００５２】
浴室空調装置１１は、図６〜図８に示すように、本体ケース５０と、回転駆動される多翼のファン５１と、このファン５１を回転駆動するファンモータ５２と、このファンモータ５２が取り付けられると共に、風路を形成するファンケース５３と、本体ケース５０の底面に取り付けられるフロントパネル５４とを備えている。
【００５３】
ファン５１にはシロッコファン等の回転ファンが用いられており、ファン５１は回転軸が下方向を臨むようにして縦向きに配置されている。ファン５１の回転軸方向に沿ったファンケース５３の下面には、吸込口５３ａが形成されている。吸込口５３ａには温度検出センサ５５が取り付けられており、この温度検出センサ５５によって浴室２の温度を検出することが可能となっている。なお、温度検出センサ５５にはサーミスタが使用されている。また、ファンケース５３のファン５１の側方の側面には開口部が形成されており、開口部には、風路切換部５６が設けられている。
【００５４】
風路切換部５６は、ダンパ５６ａと、ダンパモータ５６ｂ（図２参照）と、カム５６ｃとを有している。ダンパ５６ａには、ダンパモータ５６ｂの駆動力がカム５６ｃを介して伝達されており、このカム５６ｃの回動に応じて、ダンパ５６ａが軸５６ｄを支点に回転して開閉される構造となっている。
【００５５】
ファンケース５３には、風路切換部５６と連通する下面に吹出口５３ｂが形成されると共に、風路切換部５６と連通する側面に排気口５３ｃが形成されている。このため、カム５６ｃの回動に応じてダンパ５６ａの開閉位置を調整することによって、ファンケース５３に吸入された空気の風路を、吸込口５３ａから吹出口５３ｂへ連通した風路（このときのダンパ５６ａの位置を循環位置とする。図６参照）と、吸込口５３ａから排気口５３ｃへ連通した風路（このときのダンパ５６ａの位置を換気位置とする。図８（ａ）参照））とに切り換えることが可能となっている。また、ダンパ５６ａの開閉位置を循環位置と換気位置との間の位置（このときのダンパ５６ａの位置を循環換気位置とする。図８（ｂ）参照）とすることによって、吸込口５３ａから排気口５３ｃと排気口５３ｃとの２カ所へ連通した風路を形成することが可能となる。
【００５６】
吹出口５３ｂには、ヒータ部５７が取り付けられている。ヒータ部５７には、加熱手段を構成する電気ヒータが使用されている。このヒータ部５７によって吹出口５３ｂより浴室２へと吹き出される空気を暖めることによって、ミストの温度低下を防止しすることができ、また浴室２内の温度を所定温度へ上昇させ、また所定温度に維持することが可能となる。
【００５７】
ファンケース５３の吸込口５３ａの所定の位置には、イオン発生器５８が設けられている。イオン発生器５８は、ダンパ５６ａを循環位置あるいは循環換気位置に設定することによって形成される空気の流れに対してイオン放出面を露出するようにして配設されている。イオン発生器５８は、正イオンと負イオンとの両方あるいは負イオンを発生することができる。正イオンと負イオンとの発生の原理は、誘電体が介在するように対向させた一対の電極間に家庭用交流電源等から得られた交流電圧を昇圧して印加することにより、コロナ放電を起こし、空気中の酸素乃至水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００５８】
これらＨ+（Ｈ2Ｏ）mおよびＯ2-（Ｈ2Ｏ）nは、浮遊菌の表面に付着し、化学反応して活性種であるＨ2Ｏ2又は・ＯＨを生成する。Ｈ2Ｏ2又は・ＯＨは、極めて強力な活性を示すため、これらにより、空気中の浮遊細菌を取り囲んで除去することができる。ここで、・ＯＨは活性種の１種であり、ラジカルのＯＨを示している。
【００５９】
ファン５１の回転と連動させて略同数の正イオンと負イオンとを発生させ、これらの正イオンと負イオンとを含む空気を浴室２へ送風することによって、循環する空気に含まれる浮遊細菌と浴室２の空気中に含まれる浮遊細菌との双方を不活化してカビの発生等を抑え、除菌を行うことが可能となる。
【００６０】
本体ケース５０は、矩形の箱形状を呈しており、その下面が開口されており、ファンケース５３の吸込口５３ａと吹出口５３ｂとが下方へ露出する構造となっている。また、本体ケース５０の下面開口部には、フロントパネル５４が着脱可能に取り付けられている。
【００６１】
フロントパネル５４には、ファンケース５３の吸込口５３ａに対向する吸込グリル５４ａが形成され、また、ファンケース５３の吹出口５３ｂに対向する吹出グリル５４ｂが設けられている。また、フロントパネル５４の吸込グリル５４ａの裏側に、フィルタ５９が交換可能に取り付けられており（図７）、フロントパネル５４の側面に設けられる挿入口５９ａより、フィルタ５９の着脱を行うことが可能となっている。
【００６２】
本体ケース５０の側面には、排気口５３ｃと連通する排気ダクト接続部６０が設けられており、この排気ダクト接続部６０に、一端部が屋外へと連通する排気ダクトが接続される。
【００６３】
また、浴室空調装置１１には、本体ケース５０上部に、図示を省略する回路基板が設けられており、回路基板には、洗面所３に設けられる空調リモコン６１の操作により設定される運転モード情報や、温度検出センサ５５により検出される温度情報等を取得し、上述したファンモータ５２、ダンパモータ５６ｂ、ヒータ部５７、イオン発生器５８を制御する空調制御部６２が設けられている（図２参照）。
【００６４】
空調制御部６２は、ＣＰＵ（Central Processing Unit）、制御処理のためのワークエリアとして利用されるＲＡＭ（Random Access Memory）、制御処理を行うためのプログラムが記録されるＲＯＭ（Read Only Memory）等を有しており、ＲＯＭに記録されるプログラムに従って各種制御処理を行う。
【００６５】
また、空調制御部６２は、温度検出センサ５５により検出された浴室２の温度を、ミスト制御部２７に伝達する。
【００６６】
図９は、ヒートポンプ式の給湯装置１２の構成例を示すブロック図である。
【００６７】
給湯装置１２は、温水をミスト発生装置１０、浴室２のシャワー等、洗面所３の蛇口等、台所の蛇口等に供給する役割を有している。
【００６８】
給湯装置１２は、ヒートポンプユニット６５と貯湯タンクユニット６６とを有している。
【００６９】
ヒートポンプユニット６５は、空気熱交換器６７と水熱交換器６８とを有しており、空気熱交換器６７と水熱交換器６８とは環状の冷媒配管６９によって接続されている。また、空気熱交換器６７の下流側であって空気熱交換器６７と水熱交換器６８との間には、冷媒配管６９内を流れる冷媒ガス（ＣＯ２冷媒）の圧縮を行う圧縮機７０が設けられており、また、空気熱交換器６７の上流側であって空気熱交換器６７と水熱交換器６８との間には、冷媒配管６９内を流れる冷媒ガスの圧力を開放して膨張させるための膨張弁７１が設けられている。
【００７０】
空気熱交換器６７にはファン７２が設けられており、このファン７２の回転によって空気熱交換器６７に大気が供給されて、冷媒配管６９を流れる冷媒ガスとの熱交換が行われる。空気熱交換器６７による熱交換作用によって、空気熱交換器６７を通過する冷媒ガスの温度が上昇する。
【００７１】
空気熱交換器６７によって温度の上昇が行われた冷媒ガスは、圧縮機７０によって圧縮されてさらに温度上昇を行う。圧縮機７０の圧縮により温度が上昇した冷媒ガスは、水熱交換器６８へと搬送される。
【００７２】
水熱交換器６８と貯湯タンクユニット６６のタンク７３との間には、温水配管７４ａと冷水配管７４ｂとが接続されており、圧縮機７０の圧縮により温度が上昇した冷媒ガスは、ポンプ７４ｃによってタンク７３より冷水配管７４ｂを通って水熱交換器６８へと供給される水との熱交換を行う。水熱交換器６８において熱交換が行われたタンク７３の水は、熱交換により温度が上昇し、温水配管７４ａを通ってタンク７３に貯留される。
【００７３】
水熱交換器６８によって熱交換が行われた冷媒ガスは、膨張弁７１で膨張されて温度が低下する。そして、低い温度となった冷媒ガスは、また、空気熱交換器６７へと運ばれて大気との熱交換を繰り返し実行する。
【００７４】
貯湯タンクユニット６６は、温水が貯水されるタンク７３を有しており、タンク７３は３００乃至５００リットルの蓄湯容量を有している。タンク７３は、温水配管７４ａと冷水配管７４ｂとによって水熱交換器６８に接続されている。タンク７３には、下部側に給水が行われる給水配管７５が接続されると共に、冷水配管７４ｂの一端が接続されている。また、タンク７３には、上流側に温水配管７４ａの一端が接続されると共に、タンク７３内の温水を取得するための取水配管７６が接続されている。タンク７３の下側より給水が行われると共に、タンク７３上側に水熱交換器６８を介して暖められた温水が供給されるため、タンク７３上部の貯留水は高温（約８５度〜９０度）となり、タンク７３下部の貯留水は低温となった二層化した状態で温水と水が貯水されている。
【００７５】
取水配管７６はタンク７３の上部とやや中部との２カ所より取水を行うことが可能な２又形状をなしており、切替弁７６ａによって上部および中部の取水配管の切替が行われる。取水配管７６により取水された温水は、給水配管７５により給水される水と給湯混合弁７７によって混合されて最適な温度に調節された後に、台所の蛇口、浴室２のシャワーや浴槽、ミスト発生装置１０、洗面所３の蛇口等に給湯される。
【００７６】
なお、給湯装置１２は、自然冷媒を利用したヒートポンプ式に限定されるものではなく、ヒートポンプ式でない通常の電気温水器を使用するものであっても、また、ガスを熱源に使用するものであっても、さらに他の熱源を使用するものであってもよい。
【００７７】
次に、ミストシステム１における処理を、図面を示して説明する。
【００７８】
図１０は、ミストリモコン１６の操作によりミスト制御が行われた状態における浴室２内の温度変化と照明装置４６より発光されるＬＥＤ光源２９の発光色とを示したグラフである。また、図１１は、ミストシステム１における空調制御部６２の制御処理を示し、図１２、図１３は、ミストシステム１におけるミスト制御部２７の制御を示す。
【００７９】
まず、ミストリモコン１６が操作されて入浴者によりミストシステム１によるミスト処理の開始が行われると、ミスト処理の開始信号がミストリモコン１６よりミスト制御部２７に伝達される。
【００８０】
ミスト制御部２７では、ミスト処理の開始信号の検出処理（図１２のステップＳ．２０１）を行い、開始信号の受信の有無を判断する（ステップＳ２０２）。開始信号を受信しない場合には、ミスト制御部２７は、開始信号の検出処理（ステップＳ．２０１）を繰り返し実行する（ステップＳ．２０１）。
【００８１】
開始信号を受信した場合、ミスト制御部２７はミスト処理の開始信号を空調制御部６２に送信する（ステップＳ．２０３）。
【００８２】
空調制御部６２では、ミスト制御部２７からの信号の検出処理を行い（図１１のステップＳ．１０１）、受信した信号がミスト制御部２７からの開始信号であるか否かを判断する（ステップＳ．１０２）。検出した信号が開始信号でない場合、又は信号を検出しなかった場合には、空調制御部６２は、信号の受信処理を繰り返し実行する（図１２のステップＳ．１０１）。ミスト制御部２７より開始信号を受信した場合、空調制御部６２は、ダンパ５６ａを循環位置に移動した後にファンモータを駆動させてファン５１を回転させ（ステップＳ．１０３）、図６に示すような空気の流れ（矢印Ａおよび矢印Ｂ）を発生させる。なお、ファンモータ５２の駆動に連動して、イオン発生器５８を駆動させて正イオン・負イオンを発生させるようにしてもよい。
【００８３】
その後、空調制御部６２は、温度検出センサ５５より浴室内の温度情報を取得すると共に、取得した温度情報をミスト制御部２７に送信する（ステップＳ．１０４）。その後、空調制御部６２は、再度、ミスト制御部２７からの信号の検出処理を行い（ステップＳ．１０５）、受信した信号がミスト制御部２７からの終了信号でないか否かを判断する（ステップＳ．１０６）。例えば、入浴者がミストの利用を中止する場合もあるため、ミスト制御部２７からの信号を再度検出して終了信号の判断を行う。取得した信号が終了信号である場合、空調制御部６２は、ファンモータ５２およびヒータ部５７の駆動を停止して（ステップＳ．１０７）、ミスト処理を終了する。
【００８４】
一方で、検出した信号が終了信号でない場合、又は信号を検出しなかった場合、空調制御部６２は、温度検出センサ５５より取得した浴室の温度情報に基づいて、浴室の温度ＴがＴ１度以上であるか否かの判断を行う（ステップＳ．１０８）。
【００８５】
図１０に示すＴ１度とＴ２度は、予め設定されるミスト制御部２７のＲＯＭおよび空調制御部６２のＲＯＭに記録されている温度である。Ｔ２度とはミスト使用時において、空調制御部６２の制御によってヒータ部５７の通電が停止される温度であり、Ｔ１度とは、空調制御部６２の制御によってヒータ部５７の通電が開始される温度である。つまり、浴室２内の温度をＴ１度からＴ２度の間の高温（図１０に示す斜線部分の範囲）で一定に保つために、浴室２内の温度ＴがＴ２度以上の場合にはヒータ部５７の通電を停止させて浴室２内の温度上昇を抑制し、浴室２内の温度ＴがＴ１度以下の場合にはヒータ部５７の通電を開始させて浴室２内の温度低下を抑制する。
【００８６】
浴室２の温度がＴ１度未満である場合、空調制御部６２は、ヒータ部５７の駆動を開始して浴室２内の空気を暖める（ステップＳ．１０９）。そして、空調制御部６２は、繰り返しステップＳ．１０４の処理を実行する。
【００８７】
一方で、浴室温度がＴ１度以上である場合、空調制御部６２は、浴室の温度がＴ２度以上であるか否かの判断を行う（ステップＳ．１１０）。浴室温度がＴ２度以上である場合、空調制御部６２は、ヒータ部５７の駆動を停止して浴室２内の温度上昇を防止し（ステップＳ．１１１）、繰り返しステップＳ．１０４の処理を実行する。浴室温度がＴ２度以下である場合、空調制御部６２は、そのままステップＳ．１０４の処理を繰り返し実行する。
【００８８】
このように、浴室２の温度がＴ１度以下の場合にヒータ部５７を駆動させ、Ｔ２度以上の場合にヒータ部５７を停止させることによって浴室の温度をＴ１度からＴ２度の間の温度に維持することが可能となる。
【００８９】
ヒータ部５７の稼動／停止によって温度調整を行っている間、空調制御部６２は、定期的に浴室２の温度情報をミスト制御部２７に送信することができ（ステップＳ．１０４）、ミスト制御部２７より停止信号を受信した場合には（ステップＳ．１０５、ステップＳ．１０６）、ファンモータ５２およびヒータ部５７の駆動を停止して（ステップＳ．１０７）、ミスト処理を迅速に終了することが可能となる。
【００９０】
一方で、ミスト制御部２７では、空調制御部６２より定期的に送られてくる浴室２内の温度情報を取得する（図１２のステップＳ．２０４）。その後、ミスト制御部２７は、空調制御部６２より受信した浴室２内の温度情報に基づいて、浴室２内の温度Ｔが図１０に示すＴ３度以上であるか否かの判断を行う（ステップＳ．２０５）。ここで、Ｔ３度とは、Ｔ１度以下の温度であって、ミスト噴出を開始するのに適した浴室２の温度を意味している。
【００９１】
浴室２内の温度ＴがＴ３度未満である場合、ミスト制御部２７は、所定時間（時間ｔが所定時間ｔ１以上となるまで、ステップＳ．２０６）浴室２の温度判断を繰り返し行う（ステップＳ．２０４、ステップＳ．２０５）。所定時間繰り返し浴室２の温度判断を行っても浴室内の温度ＴがＴ３度以上にならない場合には（ステップＳ．２０６においてＹｅｓの場合）、ミスト制御部２７は入浴者に対してエラー等の警告を伝えた後に（ステップＳ．２０７）、後述するミスト制御を終了するための処理（ステップＳ．２３０〜）へ処理を移行する。
【００９２】
浴室２内の温度ＴがＴ３度以上である場合、ミスト制御部２７は、ＬＥＤ光源２９を赤色に点灯させる（ステップＳ．２０８）。このように、ＬＥＤ光源２９を赤色に点灯させることによって、入浴者は、浴室２の温度がミストに最適な温度であるＴ１度〜Ｔ２に近づいていることを、洗面所３のスリガラス等を介して視覚的に判断することができる。
【００９３】
このため、入浴者はＬＥＤ光源２９の赤色点灯を合図に入浴準備を開始することによって、浴室２の温度Ｔがミストを開始する温度になると同時に入浴を開始することが可能となる。
【００９４】
ＬＥＤ光源２９を赤色に点灯させた後、ミスト制御部２７は、水温センサ２０によって水温を検出し（ステップＳ．２０９）、水温センサ２０により検出される水温がミストに適した所定温度となっているか否かを判断する（ステップＳ．２１０）。
【００９５】
水温が所定温度になっていない場合、ミスト制御部２７は、所定時間（時間ｔが所定時間ｔ２以上となるまで、ステップＳ．２１１）水温判断を繰り返し行い（ステップＳ．２０９、ステップＳ．２１０）、所定時間繰り返し水温判断を行っても水温が所定温度にならない場合には（ステップＳ．２１１においてＹｅｓの場合）、入浴者に対してエラー等の警告を伝えた後に（ステップＳ．２０７）、後述するミスト制御を終了するための処理（ステップＳ．２３０〜）へ処理を移行する。
【００９６】
水温が所定温度になった場合、ミスト制御部２７は、電磁弁ユニット１３の電磁弁１９を開放させてミストノズル３２ａ〜３２ｃより温水を噴出させる（ステップＳ．２１２）。このように、ミスト噴出が行われることによって、浴室２内を高温・高湿度を高めることができるので入浴によってミスト効果を体感することが可能となる。
【００９７】
その後、ミスト制御部２７は、空調制御部６２より浴室２内の温度情報を取得して（ステップＳ．２１３）、浴室２内の温度Ｔが図１０に示すＴ２度以上であるか否かの判断を行う（ステップＳ．２１４）。
【００９８】
ここで、Ｔ２度とは、入浴者がミスト入浴を開始するのに適した浴室２の温度を意味している。なお、本実施形態では、ミスト入浴を開始するのに適した温度Ｔ２度とヒータ部５７による通電制御が行われる温度Ｔ２度とが同一の温度となっているが、入浴者がミスト入浴を開始するのに適した浴室２の温度は、必ずしもヒータ部５７の通電制御温度と同一である必要はなく、通常はそれぞれの制御に応じて別々に設定され得る温度である。
【００９９】
浴室２内の温度ＴがＴ２度未満である場合、ミスト制御部２７は、所定時間（時間ｔが所定時間ｔ１以上となるまで、ステップＳ．２１５）浴室２の温度判断を繰り返し行う（ステップＳ．２１３、ステップＳ．２１４）。所定時間繰り返し浴室２の温度判断を行っても浴室内の温度ＴがＴ２度以上にならない場合には（ステップＳ．２０６においてＹｅｓの場合）、ミスト制御部２７は入浴者に対してエラー等の警告を伝えた後に（ステップＳ．２０７）、後述するミスト制御を終了するための処理（ステップＳ．２３０〜）へ処理を移行する。
【０１００】
浴室２内の温度ＴがＴ２度以上となった場合、ミスト制御部２７は、経時機能を用いて、ミスト噴出を開始してからの時間を開始すると共に（ステップＳ．２１６）、浴室内の照明を制御して暗くする（ステップＳ．２１７）。
【０１０１】
なお、このミスト噴出中に、入浴者がミストリモコン１６を操作することによってミストノズル３２ａ〜３２ｃの方向を浴槽２ａ側又は洗い場２ｂ側に傾けることが可能である。ミスト制御部２７は、ミストリモコン１６の操作に応じて駆動モータ２８を駆動制御して、ミストノズル３２ａを所望の方向へと傾動させる。
【０１０２】
また、ノズル３２ａ〜３２ｃの方向の変更は、駆動モータ２８の駆動によって変更される場合には限定されず、ミスト発生装置１０のフロントパネル３１を手動で動かすことによって変更してもよい。
【０１０３】
その後、ミスト制御部２７は、経時機能により計測された経過時間ｔを求め（ステップＳ．２１８）、ミスト噴射を開始してからの経過時間ｔがＳ１時間以上であるか否か判断する（ステップＳ．２１９）。本実施形態では、Ｓ１時間として５分の設定を行うものとする。経時時間ｔが５分未満（Ｓ１未満）である場合、ミスト制御部２７は、ＬＥＤ光源２９を青色に点灯させる（ステップＳ．２２０）。ミスト噴射を開始してから５分未満の場合、入浴者の体はまだ十分に温まっていない可能性が高いため、体温状態に対応させて、他の色よりも暖かみの低い色合いである青色でＬＥＤ光源２９を照明させる。浴室２の照明が暗くなっている（ステップＳ．２１７）ので、このＬＥＤ光源２９の照明効果をより効果的に与えることが可能となる。
【０１０４】
ミスト噴射を開始してから経過時間ｔがＳ１時間以上である場合、ミスト制御部２７は、経過時間ｔがＳ２時間以上であるか否かを判断する（ステップＳ．２２１）。本実施形態では、Ｓ２時間として１０分の設定を行うものとする。経時時間ｔが１０分未満（Ｓ２未満）である場合、より詳細には５分以上（Ｓ１以上）であって１０分未満（Ｓ２未満）である場合、ミスト制御部６２は、ＬＥＤ光源２９を黄色に点灯させる（ステップＳ．２２２）。ミスト噴射を開始してからの経過時間ｔが５分以上１０分未満の場合、入浴者の体も温まって穏やかな状態になっている可能性が高いため、視覚的に落ち着いた感覚を与える黄色でＬＥＤ光源を照明することにより、精神的な安定を入浴者に与えることが可能となる。また、浴室２の照明が暗くなっているので（ステップＳ．２１７）、このＬＥＤ光源２９の照明効果をより効果的に与えることが可能となる。
【０１０５】
ミスト噴射を開始してからの経過時間ｔがＳ２時間以上である場合、ミスト制御部２７は、経過時間ｔがＳ３時間以上であるか否かを判断する（ステップＳ．２２３）。本実施形態では、Ｓ３時間として１５分の設定を行うものとする。経時時間ｔが１５分未満（Ｓ３未満）である場合、より詳細には１０分以上（Ｓ２以上）であって１５分未満（Ｓ３未満）である場合、ミスト制御部６２は、ＬＥＤ光源２９を緑色に点灯させる（ステップＳ．２２４）。ミスト噴射を開始してからの経過時間ｔが１０分以上１５分未満の場合、入浴者の体から十分な発汗も行われていると思われるため、ＬＥＤ光源２９を緑色で照明することによって、入浴者はミストによって発汗効果を得るために必要な入浴時間は経過していることを視覚的に判断することができる。また、浴室２の照明が暗くなっているので（ステップＳ．２１７）、このＬＥＤ光源２９の照明効果をより効果的に与えることが可能となる。
【０１０６】
さらに、ミスト噴射を開始してからの経過時間ｔがＳ３時間以上である場合、ミスト制御部２７は、経過時間ｔがＳ４時間以上であるか否かを判断する（ステップＳ．２２５）。本実施形態では、Ｓ４時間として、例えば２０分の設定を行うものとする。経時時間ｔが２０分未満（Ｓ４未満）である場合、より詳細には１５分以上（Ｓ３以上）であって２０分未満（Ｓ４未満）である場合、ミスト制御部６２は、ＬＥＤ光源２９を橙色に点灯させる（ステップＳ．２２６）。ミスト噴射を開始してからの経過時間ｔが１５分以上２０分未満の場合、入浴者の体温が十分に高くなっているものと判断できることから、視覚的に十分な暖かさ示す橙色でＬＥＤ光源２９を照明することによって、入浴者はミストによる暖かな感覚を視覚的にも得ることが可能となる。また、浴室２の照明が暗くなっているので（ステップＳ．２１７）、このＬＥＤ光源の照明効果をより効果的に与えることが可能となる。
【０１０７】
そして、経時時間ｔが２０分以上（Ｓ４以上）である場合、ミスト制御部６２は、ＬＥＤ光源２９を赤色に点灯させる（ステップＳ．２２７）。ミスト噴射を開始してからの経過時間ｔが２０分以上の場合には、入浴者が高温・高湿度状態の浴室に長く入浴していることからそろそろミストを終了することが望ましいと判断することができる。このため、ＬＥＤ光源２９を赤色で照明することによって、入浴者に対してミストの入浴を終了するように促すことが可能となる。また、浴室２の照明が暗くなっているので（ステップＳ．２１７）、このＬＥＤ光源２９の照明効果をより効果的に与えることが可能となる。
【０１０８】
このように、入浴時間に応じて青−黄−緑−橙−赤とＬＥＤ光源２９の照明色を変化させることによって、入浴者の体温上昇に合わせた照明演出を行うことが可能となるため、入浴者の感覚との視覚的な印象とに違和感を与えることなく照明効果を奏することが可能となる。
【０１０９】
なお、この照明の照明色およびその順番は、上述した照明色およびその順番に限られるものではなく、他の照明色や他の順番とすることも可能である。例えば、上述した色合いとは反対に、橙−緑−黄−青とＬＥＤ光源２９の照明色を変化させる構成としてもよい。
【０１１０】
ミスト噴射を開始してから５分未満の場合、入浴者の体はまだ十分に温まっていない可能性が高いため、視覚的に暖かな感覚を表す橙色でＬＥＤ光源２９を照明することによって視覚的な落ち着きと暖かみを入浴者に与えることが可能となる。
【０１１１】
その後、ミスト噴射を開始してからの経過時間ｔが５分以上１０分未満の場合、入浴者の体も温まって穏やかな状態になっている可能性が高いため、視覚的に落ち着いた感覚を与える緑色でＬＥＤ光源を照明することにより、精神的な安定を入浴者に与えることが可能となる。
【０１１２】
さらに、ミスト噴射を開始してからの経過時間ｔが１０分以上１５分未満の場合、入浴者の体から十分な発汗も行われていると思われるため、ＬＥＤ光源２９を黄色で照明することによって、入浴者はミストによって発汗効果を得るために必要な入浴時間は経過していることを視覚的に判断することができる。
【０１１３】
また、ミスト噴射を開始してからの経過時間ｔが１５分以上２０分未満の場合、入浴者の体温が十分に高くなっているものと判断できることから、視覚的に涼しげな印象を与える青色でＬＥＤ光源２９を照明することによって、入浴者はミストによる息苦しさ等を視覚的に和らげることが可能となる。
【０１１４】
ＬＥＤ光源の点灯処理を行った後（ステップＳ．２２０、ステップＳ．２２２、ステップＳ．２２４、ステップＳ．２２６、ステップＳ．２２７）、ミスト制御部２７は、ミスト処理の終了信号の検出処理（ステップＳ．２２８）を行い、終了信号の受信の有無を判断する（ステップＳ２２９）。
【０１１５】
終了信号を受信しない場合には、ミスト制御部２７は、経時機能により計測された経過時間ｔを求める処理（ステップＳ．２１８）に処理を移行し、上述した処理（ステップＳ．２１９〜ステップＳ．２２９）を繰り返し実行する。
【０１１６】
終了信号を受信した場合、ミスト制御部２７は、終了信号を空調制御部６２に送信し（ステップＳ．２３０）、経時機能による経時計測を終了し（ステップＳ．２３１）、ＬＥＤ光源２９を消灯し（ステップＳ．２３２）、浴室２の照明７８を点灯させ（ステップＳ．２３３）、電磁弁１９を閉塞して（ステップＳ．２３４）ミスト噴射を終了させることによって、ミストシステム１による処理を終了する。
【０１１７】
以上説明したように、本発明に係るミストシステム１を用いることによって、ミスト噴出開始後の時間に応じてＬＥＤ光源２９の発光色が変化するので、入浴中に入浴者が退屈になってしまうことを低減させることが可能となる。また、ＬＥＤ光源２９の発光色が変化するので、入浴者はミスト噴出後の時間を視覚によって判断することができる。
【０１１８】
例えば、ミスト利用時には、リラックス効果を高めるために時計を気にすることなく入浴を行うことが好ましいが、発汗作用を得るためには、ある程度の時間（例えば、１０分程度）は継続的に入浴を行うことが望ましいため、入浴者は入浴時間を知りたいと思う傾向がある。また、サウナ効果によって息苦しくなったりするため、暑さ等に弱い入浴者は発汗効果を得る前に入浴を終了してしまうおそれがある。
【０１１９】
本発明に係るミストシステム１のようにＬＥＤ光源２９によって入浴時間を判断できる場合には、時計等を浴室に持ち込むことなく時間の経過を把握することが可能であるため、時計等に気をとられることがなく、十分なリラクゼーション効果を得ることが可能となる。また、暑さに弱い入浴者にとっても、ＬＥＤ光源２９の発光色の変化によって時間経過を判断することができるので、一定の発汗効果を得られる入浴時間の経過を簡単に知ることができる。
【０１２０】
さらに、ミスト噴射が行われる前であって、Ｔ３度に達した時点でＬＥＤ光源２９が赤色に点灯するので、入浴者は入浴準備開始に最適なタイミングを簡単に知ることができ、早く脱衣を行ってしまって十分に暖房が行われていない状態で浴室２に入ってしまうことを防止することが可能となる。
【０１２１】
なお、本実施形態においては、時間経過と共にＬＥＤ光源２９の発光色を変化させることとしたが、ＬＥＤ光源２９の発光色の変化は実施形態に示した色の順番に限定されるものではなく、異なる色の順番によっても、また異なる色での発光を行うものであってもよい。
【０１２２】
さらに、時間経過に拘わらずミスト噴出時に同一の発光色でＬＥＤ光源２９を照明させる構成とすることも可能である。例えば、ミストリモコン１６にＬＥＤ光源２９の発光色を切り替えるボタンを設けることによって、血行を促進したい場合には赤色、集中力を高めたい場合には黄色、肉体疲労を軽減したい場合には緑色、精神的にリラックスしたい場合には青色など、入浴者の気分や体調に応じてＬＥＤ光源２９の発光色を変更させることにより、そのときの気分・体調に適した照明効果を得ることが可能となる。
【０１２３】
また、ＬＥＤ光源２９の発光色を変化させるだけでなく、発光量を変更させる構成とすることも可能である。例えば、ミスト噴出直後にはＬＥＤ光源２９の照明光を暗めに設定し、時間が経過するに従って照明光量を強めて明るくすることによって、入浴直後の薄暗い浴室２環境によってリラクゼーション効果を高め、時間経過と共に照明を明るくしてミスト終了を意識させるようにすることも可能である。
【０１２４】
さらに、ＬＥＤ光源２９の発光色の変化、発光量の変化と一緒に、ヒーリング音楽等を流すことによって、リラクゼーション効果をより一層高めることが可能となる。
【０１２５】
また、上記実施形態において示したＬＥＤ光源２９の発光色が変更する時間間隔（実施形態では５分間隔）や、発光色の変化が終了する設定時間（実施形態では２０分に設定）は、上記実施形態に示した時間間隔や設定時間に限定されるものでなく、利用者が自由に変更することが可能である。例えば、利用者がミストリモコン１６を操作して、この時間間隔や設定時間を設定・変更することにより、利用者の好み等に応じて時間間隔等を変更・調整することが可能である。
【０１２６】
さらに、本実施形態に示したミストシステム１では、浴室空調装置１１が浴槽２ａ側の天井に設置され、ミスト発生装置１０が洗い場２ｂと浴槽２ａとの中間位置（境界位置）の天井面に配置されており、さらに、照明装置４６がミスト発生装置１０の浴槽２ａ側の縁部と洗い場２ｂの縁部とに配設されているので、入浴者が浴室２に居る場合であっても洗い場２ｂに居る場合であっても、ＬＥＤ光源２９による照明演出を行うことが可能となり、入浴者は浴室内の位置に拘わらず照明効果を体感することが可能となる。
【０１２７】
さらに、実施形態に示したミストシステム１では、浴室２を暖める暖房手段として浴室空調装置１１を用いることができるので、浴室空調装置１１を備えた一般的な浴室に対して安価にミスト発生装置１０および給湯装置１２を設置することが可能となる。
【０１２８】
以上、本発明に係るミストシステムについて、図面を用いて詳細に説明を行ったが、本発明に係るミストシステムは上述した実施形態に限定されるものではない。当業者であれば、特許請求の範囲に記載された範疇内において、各種の変更例または修正例に想到しうることは明らかであり、それらについても当然に本発明の技術的範囲に属するものと了解される。
【０１２９】
例えば、照明装置４６の操作を変更するための照明リモコンを設け、赤外線や電波等の無線通信方式を採用することによって、利用者がミストを利用している間に浴室２から照明装置４６の照明色・照明光量。照明色の変更間隔等を自由に変更できるようにすることも可能である。
【０１３０】
具体的には、ノズルユニット１５のフロントパネル３１に照明リモコンの赤外線等を受けるための受光窓を形成すると共に、この受光窓を介して照明リモコンの赤外線を受光する受光装置をノズルユニット１５の本体ユニット３０側に設け、照明リモコンの操作情報が受光装置からミスト制御部２７に伝達される構成とする。
【０１３１】
このような構成とすることによって、照明リモコンの操作情報がミスト制御部２７に伝達されることとなるので、ミスト制御部２７は、操作情報に基づいてＬＥＤ光源２９の発光色、発光量、発光色を変更する時間間隔等を変更することが可能となる。
【０１３２】
また、同様に、照明リモコンの赤外線等を受けるための受光窓を浴室空調装置１１ａのフロントパネル５４に設けると共に、この受光窓を介して照明リモコンの赤外線を受光する受光装置をファンケース５３に設け、照明リモコンの操作情報が、受光装置から空調制御部６２を介してミスト制御部２７に伝達される構成とすることも可能である。
【０１３３】
このような構成を採用する場合であっても、照明リモコンの操作情報がミスト制御部２７に伝達されることとなるので、ミスト制御部２７は、操作情報に基づいてＬＥＤ光源２９の発光色、発光量、発光色を変更する時間間隔等を変更することが可能となる。
【０１３４】
さらに、上記本実施形態では、浴室２の暖房を行うために浴室空調装置１１を用いた場合について説明を行ったが、浴室２の暖房を行う装置は必ずしも浴室空調装置１１のみに限定されるものではなく、浴室空調装置１１とは別に暖房装置を設けるものであってもよい。
【０１３５】
また、上記実施形態に示したミストシステム１では、ミストの噴出を行うミスト発生装置１０と、浴室暖房を行う暖房手段である浴室空調装置１１とを別々の装置として構成としたが、本発明に係るミストシステム１は、必ずしもミスト発生装置１０と暖房手段とを別々の装置によって構成するものに限定されるものではなく、ミスト発生装置１０に暖房手段が一体に設けられるものであってもよい。ミスト発生装置１０に暖房手段が一体に構成される場合には、別体に構成される場合に比べてミスト発生装置１０の設置負担を低減させることができ、また浴室２に暖房機能のない送風装置しか設置されていない浴室２に対して、簡易にミストシステム１を設置することが可能となる。
【０１３６】
また、本実施形態においては、ミスト発生装置１０に照明装置４６が設けられる場合について説明を行ったが、照明装置４６は必ずしもミスト発生装置１０に設けられるものに限定されず、浴室空調装置１１に設けるものであってもよく、また、ミスト発生装置１０や浴室空調装置１１とは別体に構成されるものであってもよい。
【０１３７】
図１４は、照明装置４６ａが設置された浴室空調装置１１ａを示しており、照明装置４６ａとして浴室空調装置１１ａのフロントパネル５４にＬＥＤ光源２９が配設された状態を示している。このように浴室空調装置１１ａにＬＥＤ光源２９が設置される場合には、空調制御部６２によってＬＥＤ光源２９の点消灯制御をはじめ、発光色の制御、発光量制御が行われる。浴室空調装置１１ａにおいてＬＥＤ光源２９の制御を行うことによって、ミスト発生装置１０が設置されていない浴室２においても、ＬＥＤ光源２９の照明光によるリラクゼーション効果を得ることが可能である。
【０１３８】
例えば、近年、発汗作用やリラクゼーション効果を得るために、浴槽２ａにおける半身浴を行うことが多くなっている。このような浴室２においてＬＥＤ光源２９を設けた浴室空調装置１１ａを設けることによって、ミスト発生装置１０を設置していない場合であっても、ＬＥＤ光源２９の発光色や発光量を変化させることによってリラクゼーション効果を高めることができる。また、発光色や発光量を変化させることによって、入浴中に退屈になってしまうことを低減させることが可能となる。
【０１３９】
また、半身浴を行う場合であっても、発汗作用を得るためにある程度の時間半身浴を継続する必要があるため、例えば、浴室の照明のスイッチや空調装置のファンモータの駆動開始を入浴の開始時間として判断し、入浴した時間に応じてＬＥＤ光源２９の発光色を変化させることによって感覚的に半身浴による入浴時間を把握することができ、時計等を気にすることがなく、十分なリラクゼーション効果を得ることが可能となる。また、暑さに弱い入浴者にとっても、ＬＥＤ光源２９の発光色等の変化によって入浴時間を簡単に判断することができるので、十分な半身浴効果を得ることが可能となる。
【０１４０】
さらに、図１４に示すように、照明装置４６ａを浴室空調装置１１の浴槽２ａ側の縁部と洗い場２ｂの縁部とに配設することによって、入浴者が浴室２に居る場合であっても洗い場２ｂに居る場合であっても、ＬＥＤ光源２９による照明演出を行うことが可能となり、入浴者は浴室内の位置に拘わらず照明効果を体感することが可能となる。
【図面の簡単な説明】
【０１４１】
【図１】本発明に係るミストシステムが設置された浴室および洗面所を示した断面図である。
【図２】浴室空調装置およびミスト発生装置の制御系の構成例を示したブロック図である。
【図３】ノズルユニットの概略構成を示した展開斜視図である。
【図４】（ａ）はノズルユニットの正面図を示し、（ｂ）、（ｃ）はノズルユニットの側方断面図を示している。
【図５】ノズルユニットの駆動機構例を示した図である。
【図６】浴室空調装置の内部構成を示した断面図である。
【図７】浴室空調装置を示した展開斜視図である。
【図８】浴室空調装置における動作状態をダンパ位置毎に示した断面図である。
【図９】ヒートポンプ式の給湯装置の構成例を示すブロック図である。
【図１０】ミストシステムを稼動させた場合における浴室内の温度変化とＬＥＤ光源の発光色との変化を示したグラフである。
【図１１】空調制御部の処理内容を示したフローチャートである。
【図１２】ミスト制御部の処理内容を示したフローチャートである。
【図１３】ミスト制御部の処理内容を示したフローチャートである。
【図１４】浴室空調装置にＬＥＤ光源を設置した状態を示した斜視図である。
【符号の説明】
【０１４２】
１     …ミストシステム
２     …浴室
２ａ   …浴槽
２ｂ   …洗い場
３     …洗面所
１０   …ミスト発生装置（ミスト噴出手段）
１１、１１ａ   …浴室空調装置（暖房手段）
１２   …給湯装置
１３   …（ミスト発生装置の）電磁弁ユニット
１４   …（ミスト発生装置の）電源部ユニット
１５   …（ミスト発生装置の）ノズルユニット
１６   …（ミスト発生装置の）ミストリモコン
１７   …（電磁弁ユニットの）本体ケース
１８   …（電磁弁ユニットの）電磁弁配管
１９   …（電磁弁ユニットの）電磁弁
２０   …（電磁弁ユニットの）水温センサ
２１   …給水配管
２２   …ノズル配管
２５   …（電源部ユニットの）電源部
２６   …（電源部ユニットの）電磁弁駆動部
２７   …（電源部ユニットの）ミスト制御部
２８   …（ノズルユニットの）駆動モータ
２９   …（ノズルユニットの）ＬＥＤ光源
３０   …（ノズルユニットの）本体ユニット
３０ａ  …（本体ユニットの）つば
３０ｂ  …（本体ユニットの）箱部位
３１   …（ノズルユニットの）フロントパネル
３２ａ〜３２ｃ  …（ノズルユニットの）ノズル
３３   …（ノズルユニットの）接続部
３４ａ、３４ｂ  …（ノズルユニットの）軸受け部
３６   …（ノズルユニットの）給水管部
３７ａ〜３７ｃ  …（ノズルユニットの）接続部材
３８ａ〜３８ｄ  …（フロントパネルの）スライドガイド孔
３９ａ〜３９ｄ  …（スライドガイド孔に挿入される）ネジ
４０ａ〜４０ｃ  …（ノズルの先端を臨む）開口部
４１   …（ノズルユニットの）歯車ユニット
４２   …（ノズルユニットの）歯車
４３   …（ノズルユニットの）ラックレール
４６、４６ａ   …照明装置（照明手段）
５０   …（浴室空調装置の）本体ケース
５１   …（浴室空調装置の）ファン
５２   …（浴室空調装置の）ファンモータ
５３   …（浴室空調装置の）ファンケース
５３ａ  …（ファンケースの）吸込口
５３ｂ  …（ファンケースの）吹出口
５３ｃ  …（ファンケースの）排気口
５４   …（浴室空調装置の）フロントパネル
５４ａ  …（フロントパネルの）吸込グリル
５４ｂ  …（フロントパネルの）吹出グリル
５５   …温度検出センサ
５６   …風路切換部
５６ａ  …（風路切換部の）ダンパ
５６ｂ  …（風路切換部の）ダンパモータ
５６ｃ  …（風路切換部の）カム
５６ｄ  …（ダンパの）軸
５７   …ヒータ部
５８   …イオン発生器
５９   …（フロントパネルの）フィルタ
５９ａ  …（フロントパネルに形成される）挿入口
６０   …排気ダクト接続部
６１   …空調リモコン
６２   …空調制御部
６５   …（給湯装置の）ヒートポンプユニット
６６   …（給湯装置の）貯湯タンクユニット
６７   …（ヒートポンプユニットの）空気熱交換器
６８   …（ヒートポンプユニットの）水熱交換器
６９   …（ヒートポンプユニットの）冷媒配管
７０   …（ヒートポンプユニットの）圧縮機
７１   …（ヒートポンプユニットの）膨張弁
７２   …（ヒートポンプユニットの）ファン
７３   …（貯湯タンクユニットの）タンク
７４ａ  …（貯湯タンクユニットの）温水配管
７４ｂ  …（貯湯タンクユニットの）冷水配管
７４ｃ  …（貯湯タンクユニットの）ポンプ
７５   …（貯湯タンクユニットの）給水配管
７６   …（貯湯タンクユニットの）取水配管
７６ａ  …（貯湯タンクユニットの）切替弁
７７   …（貯湯タンクユニットの）給湯混合弁
７８   …（浴室の）照明
【図１】
2008161323.tif 000003
【図２】
2008161323.tif 000004
【図３】
2008161323.tif 000005
【図４】
2008161323.tif 000006
【図５】
2008161323.tif 000007
【図６】
2008161323.tif 000008
【図７】
2008161323.tif 000009
【図８】
2008161323.tif 000010
【図９】
2008161323.tif 000011
【図１０】
2008161323.tif 000012
【図１１】
2008161323.tif 000013
【図１２】
2008161323.tif 000014
【図１３】
2008161323.tif 000015
【図１４】
2008161323.tif 000016